(57)【要約】【課題】マグネットシートを必ずしも積層する必要がなく、また、壁面に整然と並べて容易に配置することが可能であり、しかも、大小各種寸法の保護シートをいろいろな組み合わせで配列することができる壁面用保護シートの固定枠を提供する。【解決手段】壁面用保護シートの固定枠は、表面フレーム部と、マグネット保持フレーム部と、連結フレーム部により断面略Ｈ型に一体構成して保護シート用嵌挿部を形成し、該保護シート用嵌挿部に保護シートの端部を嵌挿せしめた状態で、磁性体から成る壁面に磁着せしめるように構成される。【選択図】        図2
0003133046.tif 000002
【実用新案登録請求の範囲】
【請求項１】
表面フレーム部と、マグネット保持フレーム部と、連結フレーム部により断面略Ｈ型に一体構成して保護シート用嵌挿部を形成し、該保護シート用嵌挿部に保護シートの端部を嵌挿せしめた状態で、磁性体から成る壁面に磁着せしめるように構成したことを特徴とする壁面用保護シートの固定枠。
【請求項２】
上記マグネット保持フレーム部に、マグネットを接着状態で収容したことを特徴とする請求項１に記載の壁面用保護シートの固定枠。
【考案の詳細な説明】
【技術分野】
【０００１】
本考案は、壁面用保護シートの固定枠に関し、特にエレベータの内壁面、建設中の建物壁面、防音壁等などの壁面を衝撃等から保護するための壁面用保護シートを壁面に固定するための固定枠に係る。
【背景技術】
【０００２】
従来、例えば機械や機材、建材等をエレベータに乗せて搬送する時に、エレベータの内壁をこれらの機械等の衝撃による損傷防止のために、軟質樹脂シートなどの表面部材とマグネットシートを一体的に積層し、また、必要に応じて、これらシート間にクッション部材を介在させた保護シートを壁面に取り外し可能に磁着させるものがあった。（特許文献１参照）
【０００３】
しかしながら、上記従来の保護シートは、マグネットシートを必ず積層する必要があるだけでなく、壁面に整然と並べて配置することが困難であり、しかも、大小各種寸法の保護シートをいろいろな組み合わせで配列することができない等の問題点があった。
【特許文献１】特開２００３−２５３８４９
【考案の開示】
【考案が解決しようとする課題】
【０００４】
本考案は、上記従来の問題点を解決することを課題とするもので、マグネットシートを必ずしも積層する必要がなく、また、壁面に整然と並べて容易に配置することが可能であり、しかも、大小各種寸法の保護シートをいろいろな組み合わせで配列することができる壁面用保護シートの固定枠を提供することを目的とする。
【課題を解決するための手段】
【０００５】
本考案の壁面用保護シートの固定枠は、表面フレーム部と、マグネット保持フレーム部と、連結フレーム部により断面略Ｈ型に一体構成して保護シート用嵌挿部を形成し、該保護シート用嵌挿部に保護シートの端部を嵌挿せしめた状態で、磁性体から成る壁面に磁着せしめるように構成したことを特徴とする。また、上記マグネット保持フレーム部に、マグネットを接着状態で収容したことを特徴とする。
【考案の効果】
【０００６】
１）複数枚の壁面用保護シートを壁面に容易、迅速、確実かつ安定して着脱自在に貼り付けることができる。
２）各種サイズの壁面用保護シートを容易に組み合わせて貼り付けることができる。
３）壁面用保護シートの固定枠は、壁面に対する着脱や、持ち運び移動が簡単である。
４）平滑な壁面に、壁面用保護シートを貼り付けることにより、押しピン等により、掲示板として利用することが出来る。
５）所定サイズ、例えば３０cm×３０cmの四角状で裏側に部分的にマグネットシートを貼り付けているため、マグネットの効力を効かせた状態で、四角状の壁面用保護シートをきめ細かくずらす事が出来る。また脱着が容易である。さらに小型正方形形状であるため、持ち運びが簡単である利便性を有する。
６）壁面用保護シートの組み合わせを自由に出来ることによりデザイン的に優れたものとすることが出来る。
【考案を実施するための最良の形態】
【０００７】
図１において、１は壁面用保護シート、２は固定枠である。壁面用保護シート１は、図２からも明らかなように、保護層１ａと衝撃吸収層１ｂを適当な接着剤により一体的に積層して構成されている。該保護層１ａは、例えば、織物や不織布、軟質合成樹脂シート、ゴムシート、紙質シートなど、損傷し難くい材質で、好ましくはその表面に色柄やデザインを施し得る表面材であればいずれでもよい。また、形状としては、正方形・長方形などの矩形が好ましく、一辺が短いものと一辺が長いものを組み合わせてもよい。さらに、上記衝撃吸収層１ｂは、例えば、発泡ウレタン、発泡ポリプロピレンなどのクッション材質のもので適宜厚さ寸法を有する。該衝撃吸収層１ｂの裏面には、また更に、マグネットシート（図示せず）を一体的に積層させてもよい。Ｗはエレベータ等の壁面である。該壁面Ｗは鉄板等の磁性体から成る。
【０００８】
上記固定枠２は、図３から明らかなように、表面フレーム部２ａと、マグネット保持フレーム部２ｂと、連結フレーム部２ｃから成り、横断面が略Ｈ型に一体的に構成されている。２ｄは溝状の保護シート用嵌挿部、２ｅはマグネット保持用凹部である。
【０００９】
図２から明らかなように、上記保護シート用嵌挿部２ｄには、左右の壁面用保護シート１の端部が嵌挿されるようになっている。上記マグネット保持用凹部２には、マグネット３が接着状態で収容される。上記保護シート１にマグネットシートが積層されている場合には、上記マグネット３を省略することができる。この場合、マグネットシートを部分的に貼り付けると、マグネットシートの無い部分から保護シート２を容易かつ迅速に壁面から取り剥がすことができる。
【００１０】
本考案の壁面用保護シートの固定枠は、以上のように構成されているので、その保護シート用嵌挿部２ｄに壁面用保護シート１の端部を嵌挿させた状態で、固定枠２を壁面Ｗに近づけると、上記マグネット保持用凹部２ｅに収容されているマグネット３が壁面３に磁着（磁力により吸着すること）される。なお、予め固定枠２を壁面Ｗに磁着させてから、その保護シート用嵌挿部２ｄに保護シート１の端部を嵌挿させてもよい。
【００１１】
上記壁面用保護シート１の縦横寸法や固定枠２の長さ寸法は大小異なっていても壁面Ｗに固定できる寸法であれば良く、各種寸法の組み合わせによって、壁面Ｗを覆う保護シートの全体の大きさは、大小さまざまな大きさにすることが出来る。そして、建材や精密機械等の搬送時に、予めエレベータや部屋の内壁に固定して置くことにより、保護シートの持つ弾性力により衝撃吸収と傷防止等の外観保護の役割を担う。また、シートの材質、色等を選択することにより意匠的に優れたものとすることが可能である。
【００１２】
また、本考案の固定枠が取り付けられる壁面は、マグネットが吸着できる程度の平滑面を有する壁面であれば、簡易な掲示板としての機能を果すことも出来る。押しピン等により紙などを掲示物として保護シートに止めることが出来る
【図面の簡単な説明】
【００１３】
【図１】本考案の固定枠に保護シートを組み付けた状態の正面図である。
【図２】図１の固定枠およびその付近の拡大断面図である。
【図３】固定枠本体の拡大断面図である。
【符号の説明】
【００１４】
１    壁面用保護シート
１ａ  保護層
１ｂ  衝撃吸収層
２    固定枠
２ａ  表面フレーム部
２ｂ  マグネット保持フレーム部
２ｃ  連結フレーム部
２ｄ  保護シート用嵌挿部
２ｅ  マグネット保持用凹部
３    マグネット
Ｗ    壁
【図１】
0003133046.tif 000003
【図２】
0003133046.tif 000004
【図３】
0003133046.tif 000005